(57)【特許請求の範囲】
【請求項１】
所定配列で複数枚並べたメダルの段を積み上げた複数段のメダルを載置するメダル載置台と、
メダルの前記所定配列の配列方向に前記メダル載置台と隣接し、且つ前記メダル載置台に載置されたメダルの最下段より下面に前記所定配列でメダルを配置するメダル配置部と、
前記メダル配置部に配置されたメダル及び前記メダル載置台に載置されたメダルを上昇させる上昇手段と、
上昇させたメダルを前記所定配列の配列方向へ水平移動させる水平移動手段と、
水平移動したメダルを下降させ、前記メダル載置台に載置する下降手段と、
を備えたメダル積み上げ装置。
【請求項２】
前記上昇手段は、前記メダル配置部の底面又は底面の一部を上昇させることにより配置されたメダルを上昇させ、当該上昇したメダルが前記メダル載置台に載置されたメダルを押し上げる
ことを特徴とする請求項１に記載のメダル積み上げ装置。
【請求項３】
前記水平移動手段によってメダルを水平移動させる距離を設定する手段と、
を備え、
前記水平移動手段は、設定された距離だけメダルを水平移動させる
ことを特徴とする請求項１又は２に記載のメダル積み上げ装置。
【請求項４】
前記水平移動手段によってメダルを水平移動させる配列方向の正逆の向きを設定する手段と、
を備え、
前記水平移動手段は、上昇させたメダルを設定された向きに水平移動させる
ことを特徴とする請求項１ないし３のいずれか一項に記載のメダル積み上げ装置。
【請求項５】
前記メダル配置部に対応してメダル毎に設けられたメダル孔と、
前記メダル孔にメダルを供給するメダル供給手段と、
前記メダル孔に供給されたメダルを前記メダル孔に対応する前記メダル配置部へ移送する移送手段と、
を備えることを特徴とする請求項１ないし４のいずれか一項に記載のメダル積み上げ装置。
【請求項６】
前記上昇手段が前記メダル配置部の底面又は底面の一部を上昇させる前に、前記移送手段がメダルを前記メダル配置部へ移送する回数を設定する手段と、
を備え、
前記下降手段は、前記移送手段によってメダルがそれぞれの前記メダル配置部へ移送された場合において、当該移送された回数が設定された回数未満であるとき、次に移送されるメダル数に応じて、前記メダル配置部の底面又は底面の一部を下降させて、前記メダル配置部にメダルが移送される空間を設け、
前記上昇手段は、前記移送手段が設定された回数だけメダルを移送したときに、前記メダル配置部の底面又は底面の一部を上昇させる
ことを特徴とする請求項５に記載のメダル積み上げ装置。
【請求項７】
メダル載置台に所定配列で載置されたメダルの最上段の上面にメダルを配置する配置手段と、
メダルが配置された前記メダル載置台を下降させる下降手段と、
メダルが配置された前記メダル載置台を前記所定配列の配列方向へ水平移動させる水平移動手段と、
前記配置手段、前記下降手段、および前記水平移動手段によって、前記メダル載置台に所定数のメダルが積み上がった場合、前記メダル載置台を所定の高さまで上昇させる上昇手段と、
を備えたメダル積み上げ装置。
【請求項８】
筐体内部に設けられたフィールドと、
前記フィールドにメダルを積み上げるメダル積み上げ手段と、
積み上げたメダルを移動させるための移動手段と、
移動に基づいて、前記フィールドから落下したメダルをプレイヤに払い出す払い出し部と、
を備えたメダルゲーム機であって、
前記メダル積み上げ手段は、
所定配列で複数枚並べたメダルの段を積み上げた複数段のメダルを載置するメダル載置台と、
メダルの前記所定配列の配列方向に前記メダル載置台と隣接し、且つ前記メダル載置台に載置されたメダルの最下段より下面に前記所定配列でメダルを配置するメダル配置部と、
前記メダル配置部に配置されたメダル及び前記メダル載置台に載置されたメダルを上昇させる上昇手段と、
上昇させたメダルを前記所定配列の配列方向へ水平移動させる水平移動手段と、
水平移動したメダルを下降させ、前記メダル載置台に載置する下降手段と、
を備えることを特徴とするメダルゲーム機。
【請求項９】
メダルゲームの進行を制御する制御手段をさらに備え、
前記制御手段は、ゲームの進行に基づいてメダルの積み上げ枚数が増加した場合に、当該増加したメダル枚数に応じてメダル積み上げ手段を動作させる
ことを特徴とする請求項８に記載のメダルゲーム機。
【請求項１０】
前記制御手段は、ゲームの進行に基づいてメダルを前記所定配列の配列方向へ水平移動する距離を決定し、
前記水平移動手段は、決定した距離だけメダルを水平移動させる
ことを特徴とする請求項９に記載のメダルゲーム機。
【請求項１１】
筐体内部に設けられたフィールドと、
前記フィールドにメダルを積み上げるメダル積み上げ手段と、
積み上げたメダルを移動させるための移動手段と、
移動に基づいて、前記フィールドから落下したメダルをプレイヤに払い出す払い出し部と、
を備えたメダルゲーム機であって、
前記メダル積み上げ手段は、
メダル載置台に所定配列で載置されたメダルの最上段の上面にメダルを配置する配置手段と、
メダルが配置されたメダル載置台を下降させる下降手段と、
メダルが配置されたメダル載置台を前記所定配列の配列方向へ水平移動させる水平移動手段と、
前記配置手段、前記下降手段、および前記水平移動手段によって、前記メダル載置台に所定数のメダルが積み上がった場合、前記メダル載置台を所定の高さまで上昇させる上昇手段と、
を備えることを特徴とするメダルゲーム機。
【発明の詳細な説明】
【技術分野】
【０００１】
本発明は、複数のメダルを積み上げる装置に関する。さらに詳述すると、本発明は、メダルゲーム機の筐体内に載置されるメダルタワー（複数のメダルをタワー状に積み上げたもの）を作成する装置に関する。
【背景技術】
【０００２】
プレイヤがフィールド上へメダルを投入することにより、フィールド上を往復動するプッシャーによって押圧されたメダルが落下し、当該落下したメダルをプレイヤに払い出すよう構成されたメダルプッシャーゲーム機が知られている。
【０００３】
このメダルプッシャーゲーム機においては、プレイヤのゲーム挑戦意欲を増加させるため、フィールド上に多数のメダルを見栄え良く積み上げてディスプレイすることがある。例えば、遊戯施設の従業員等が、下段と上段のメダルをずらしながら、見栄え良くメダルを積み上げることができるメダル積み上げ器が提案されている（特許文献１）。
【先行技術文献】
【特許文献】
【０００４】
【特許文献１】特開２００５−０８０８９６号公報
【発明の概要】
【発明が解決しようとする課題】
【０００５】
しかしながら、特許文献１に開示された技術によれば、遊戯施設の従業員等は、メダル積み上げ器の各メダル孔にメダルを嵌め込んで積み上げていくため、多大な時間と労力がかかるという問題があった。
【０００６】
さらに、特許文献１に開示された技術によれば、遊戯施設の従業員等は、当該メダル積み上げ器のメダルセット板を昇降及び回転させる際などに、誤って積み上げたメダルを崩してしまうという問題があった。
【０００７】
そこで、本発明は、上記の従来の問題点に鑑み提案されたものであり、その目的とするところは、遊戯施設の従業員等の手を煩わせることなく、メダルを見栄え良く積み上げるメダル積み上げ装置及びメダルゲーム機を提供することにある。
【課題を解決するための手段】
【０００８】
かかる課題を解決するため、本発明にあっては、所定配列で複数枚並べたメダルの段を積み上げた複数段のメダルを載置するメダル載置台と、メダルの前記所定配列の配列方向に前記メダル載置台と隣接し、且つ前記メダル載置台に載置されたメダルの最下段より下面に前記所定配列でメダルを配置するメダル配置部と、前記メダル配置部に配置されたメダル及び前記メダル載置台に載置されたメダルを上昇させる上昇手段と、上昇させたメダルを前記所定配列の配列方向へ水平移動させる水平移動手段と、水平移動したメダルを下降させ、前記メダル載置台に載置する下降手段と、を備えたメダル積み上げ装置を要旨としている。
【０００９】
また、メダル載置台に所定配列で載置されたメダルの最上段の上面にメダルを配置する配置手段と、メダルが配置された前記メダル載置台を下降させる下降手段と、メダルが配置された前記メダル載置台を前記所定配列の配列方向へ水平移動させる水平移動手段と、前記配置手段、前記下降手段、および前記水平移動手段によって、前記メダル載置台に所定数のメダルが積み上がった場合、前記メダル載置台を所定の高さまで上昇させる上昇手段と、を備えたメダル積み上げ装置を要旨としている。
【００１０】
また、筐体内部に設けられたフィールドと、前記フィールドにメダルを積み上げるメダル積み上げ手段と、積み上げたメダルを移動させるための移動手段と、移動に基づいて、前記フィールドから落下したメダルをプレイヤに払い出す払い出し部と、を備えたメダルゲーム機であって、前記メダル積み上げ手段は、所定配列で複数枚並べたメダルの段を積み上げた複数段のメダルを載置するメダル載置台と、メダルの前記所定配列の配列方向に前記メダル載置台と隣接し、且つ前記メダル載置台に載置されたメダルの最下段より下面に前記所定配列でメダルを配置するメダル配置部と、前記メダル配置部に配置されたメダル及び前記メダル載置台に載置されたメダルを上昇させる上昇手段と、上昇させたメダルを前記所定配列の配列方向へ水平移動させる水平移動手段と、水平移動したメダルを下降させ、前記メダル載置台に載置する下降手段と、を備えたメダルゲーム機を要旨としている。
【００１１】
また、筐体内部に設けられたフィールドと、前記フィールドにメダルを積み上げるメダル積み上げ手段と、積み上げたメダルを移動させるための移動手段と、移動に基づいて、前記フィールドから落下したメダルをプレイヤに払い出す払い出し部と、を備えたメダルゲーム機であって、前記メダル積み上げ手段は、メダル載置台に所定配列で載置されたメダルの最上段の上面にメダルを配置する配置手段と、メダルが配置されたメダル載置台を下降させる下降手段と、メダルが配置されたメダル載置台を前記所定配列の配列方向へ水平移動させる水平移動手段と、前記配置手段、前記下降手段、および前記水平移動手段によって、前記メダル載置台に所定数のメダルが積み上がった場合、前記メダル載置台を所定の高さまで上昇させる上昇手段と、を備えたメダルゲーム機を要旨としている。
【発明の効果】
【００１２】
本発明によれば、時間や労力を要さずに見栄え良くメダルを積み上げることができ、遊戯施設の従業員等の手を煩わせることなく、プレイヤのゲーム挑戦意欲を増加させることができる。
【図面の簡単な説明】
【００１３】
【図１】メダル積み上げ装置１によって作成されたメダルタワーＭＴを示す斜視図である。
【図２】メダル積み上げ装置１を示す斜視図である。
【図３】メダル積み上げ装置１を示す分解図である。
【図４】メダル積み上げ装置１を示す上面図である。
【図５】メダル積み上げ装置１の天板１８を除いた上面図である。
【図６】メダル積み上げ装置１の撹拌機構１０を除いた上面図である。
【図７】（ａ）はメダル積み上げ装置１を示す上面図、（ｂ）は（ａ）におけるＡ−Ａ断面を示す断面図である。
【図８】メダル積み上げ装置１の機能構成を示す説明図である。
【図９】メダル積み上げ装置１のメダルタワー作成処理の例を示すフローチャートである。
【図１０】メダルタワー作成処理の初期化処理の例を示すフローチャートである。
【図１１】メダルタワー作成処理の撹拌および押出処理の例を示すフローチャートである。
【図１２】Ｃ１＝２、ｎ＝１、ｍ＝０におけるメダルの撹拌後を示す（ａ）斜視図、（ｂ）正面図である。
【図１３】Ｃ１＝２、ｎ＝１、ｍ＝１におけるメダルの押出後を示す（ａ）斜視図、（ｂ）正面図である。
【図１４】Ｃ１＝２、ｎ＝１、ｍ＝１におけるメダルの下降後を示す（ａ）斜視図、（ｂ）正面図である。
【図１５】Ｃ１＝２、ｎ＝１、ｍ＝１におけるメダルの撹拌後を示す（ａ）斜視図、（ｂ）正面図である。
【図１６】Ｃ１＝２、ｎ＝１、ｍ＝２におけるメダルの押出後を示す（ａ）斜視図、（ｂ）正面図である。
【図１７】Ｃ１＝２、ｎ＝１、ｍ＝２におけるメダルの上降後を示す（ａ）斜視図、（ｂ）正面図である。
【図１８】Ｃ２＝２、ｎ＝１、ｍ＝２におけるメダルの回転後を示す（ａ）斜視図、（ｂ）正面図である。
【図１９】Ｃ２＝２、ｎ＝１、ｍ＝２におけるメダルの載置後を示す（ａ）斜視図、（ｂ）正面図である。
【図２０】Ｃ２＝２、ｎ＝２、ｍ＝０におけるメダルの撹拌後を示す（ａ）斜視図、（ｂ）正面図である。
【図２１】Ｃ２＝２、ｎ＝２、ｍ＝１におけるメダルの押出後を示す（ａ）斜視図、（ｂ）正面図である。
【図２２】Ｃ２＝２、ｎ＝２、ｍ＝１におけるメダルの下降後を示す（ａ）斜視図、（ｂ）正面図である。
【図２３】Ｃ２＝２、ｎ＝２、ｍ＝１におけるメダルの撹拌後を示す（ａ）斜視図、（ｂ）正面図である。
【図２４】Ｃ２＝２、ｎ＝２、ｍ＝２におけるメダルの押出後を示す（ａ）斜視図、（ｂ）正面図である。
【図２５】Ｃ２＝２、ｎ＝２、ｍ＝２におけるメダルの上降後を示す（ａ）斜視図、（ｂ）正面図である。
【図２６】Ｃ２＝２、ｎ＝２、ｍ＝２におけるメダルの回転後を示す（ａ）斜視図、（ｂ）正面図である。
【図２７】Ｃ２＝２、ｎ＝２、ｍ＝２におけるメダルの載置後を示す（ａ）斜視図、（ｂ）正面図である。
【図２８】メダル積み上げ装置２を示す斜視図である。
【図２９】図２８におけるＢ−Ｂ断面を示す断面図である。
【図３０】メダル回転機構２３の斜視図である。
【図３１】メダル積み上げ装置２の機能構成を示す説明図である。
【図３２】メダル積み上げ装置２のメダルタワー作成処理の例を示すフローチャートである。
【図３３】メダル回転機構２３の断面図であって、（ａ）メダル載置後、（ｂ）メダル下降後、（ｃ）メダル回転後を示す図である。
【図３４】メダル回転機構２３の上面図であって、（ａ）メダル載置後、（ｂ）メダル回転後を示す図である。
【図３５】メダル積み上げ装置２によって作成されたメダルタワーＭＴを示す斜視図である。
【図３６】メダルゲーム機３を示す斜視図である。
【図３７】メダルゲーム機３の機能構成を示す説明図である。
【図３８】メダルゲーム機３のメダルタワー作成処理の例を示すフローチャートである。
【発明を実施するための形態】
【００１４】
以下、本発明の構成を図面に示す実施の形態の一例に基づいて詳細に説明する。
【００１５】
＜第１の実施形態＞
図１は、本発明の第１の実施形態にかかるメダル積み上げ装置１と、作成されたメダルタワーＭＴを示す。ここで、メダルタワーＭＴは、所定配列で複数枚並べたメダルの段を積み上げており、各段を配列方向にずらしながら積み上げられる。
【００１６】
図２および図３は、本発明の第１の実施形態にかかるメダル積み上げ装置１を示す。このメダル積み上げ装置１は、業務用メダルゲーム機の筐体内に載置されるメダルタワーを作成する装置として適用可能である。本実施形態のメダル積み上げ装置１は、メダルを撹拌するメダル撹拌機構１０、多数のメダルを収容するメダル収容皿１０１、撹拌されたメダルが嵌め込まれる６つのメダル孔１０２、嵌め込まれたメダルをメダル配置部１１１へ移送するメダル移送機構１１、メダル配置部１１１に配置されたメダルを上昇および下降させるメダル昇降機構１２、上昇したメダルを配列方向へ水平に回転移動させるメダル回転機構１３、回転移動したメダルが積み重なるメダル載置台１４が設けられている。なお、メダル積み上げ装置１は、複数の支柱１５によって基台１６、押出基台１７、天板１８が支えられている。
【００１７】
（メダル撹拌）
本実施形態のメダル撹拌機構１０は、ユーザやメダルホッパー等によってメダル収容皿１０１に供給されたメダルを撹拌し、メダル収容皿１０１の下面に環状に配列された６つのメダル孔１０２へメダルを嵌め込むための機構である。本実施形態のメダル撹拌機構１０は、撹拌駆動部１０３、撹拌用従動ギア１０４、メダル接触部材１０５を有する（図３、および図４参照）。
【００１８】
撹拌駆動部１０３は、撹拌用モータ１０３ａ、撹拌用駆動ギア１０３ｂからなる。撹拌用モータ１０３ａは、回転軸を上向きにし、メダル積み上げ装置１の押出基台１７に設置される。なお、本実施形態の撹拌用モータ１０３ａは、ＤＣモータ、ＡＣモータ、ステッピングモータ、アクチュエータ等のいずれでも良い。
【００１９】
撹拌用駆動ギア１０３ｂは、撹拌用モータ１０３ａの回転動によって回転する。撹拌用従動ギア１０４は、撹拌用駆動ギア１０３ｂと係合（噛合）し、撹拌用駆動ギア１０３ｂの回転動によってメダル積み上げ装置１の中心軸（上下軸）の周りをヨー方向に回転する。撹拌用従動ギア１０４には、メダル収容部側（メダル積み上げ装置１の中心方向）にメダル接触部材１０５が設けられている。メダル接触部材１０５は、撹拌用板金１０５ａ、撹拌用バネ１０５ｂから構成され、撹拌用板金１０５ａから下向きに撹拌用バネ１０５ｂが設けられる。これにより、メダル収容皿１０１内のメダルは、撹拌用従動ギア１０４の回転によって撹拌用バネ１０５ｂと接触して拡散し、メダル収容皿１０１の底部に設けられた各メダル孔１０２に嵌め込まれる。
【００２０】
なお、本実施形態のメダル撹拌機構１０は、撹拌用ドグ１０６、撹拌検出センサ１０７を有している。撹拌用ドグ１０６は、撹拌用駆動ギア１０３ｂの下部に設けられ、撹拌検出センサ１０７を遮光する。ここで、撹拌検出センサ１０７のＯＮ／ＯＦＦ情報は、メダル撹拌におけるメダル詰まり等のエラー検出のために用いられる。
【００２１】
（メダル移送）
本実施形態のメダル移送機構１１は、各メダル孔１０２に嵌め込まれたメダルをメダル配置部１１１へ移送するための機構である。本実施形態のメダル移送機構１１は、メダル検出センサ１１２、押出駆動部１１３、押出板駆動カム１１４、押出板１１５、メダル移送路１１６を有する（図３、および図５参照）。
【００２２】
メダル検出センサ１１２は、各メダル孔１０２の下面に設けられ、各メダル孔１０２にメダルが嵌め込まれたか否かを検出するために用いられる。なお、本実施形態のメダル検出センサ１１２は、接触式センサを用いているが、嵌め込まれたメダルによって光が遮られるフォトセンサ等の非接触式センサでも良い。
【００２３】
押出駆動部１１３は、押出用モータ１１３ａ、押出用ギア１１３ｂからなる。押出用モータ１１３ａは、回転軸を上向きにし、メダル積み上げ装置１の基台１６に設置される。      
【００２４】
押出用ギア１１３ｂは、押出用モータ１１３ａの回転動によって回転する。押出板駆動カム１１４は、側面の所定部分に刻まれたギア部１１４ａと押出用ギア１１３ｂとが係合（噛合）し、押出用ギア１１３ｂの回転動によって水平回転（ヨー軸回転）する。また、押出板駆動カム１１４には、孔１１４ｂが設けられている。
【００２５】
押出板１１５は、屈折した板の屈折部に突起１１５ａと、一方の端部に回転軸１１５ｂを有し、他方の端部がメダルを押し出すように構成されている。ここで、突起１１５ａは、孔１１４ｂにそれぞれ嵌まり込んで押出板駆動カム１１４と一体に可動し、押出板１１５は、押出板駆動カム１１４の回転によって回転軸１１５ｂを中心に回転する。これにより、押出板１１５は、押出板駆動カム１１４が反時計方向（ＣＣＷ）に回転することによって、各メダル孔１０２に嵌め込まれたメダルをメダル配置部１１１へ押し出す。そして、押出板１１５は、押出板駆動カム１１４が時計方向（ＣＷ）に回転することによって、初期位置へ戻る。なお、本実施形態における押出板１１５の厚みは、メダルの厚みとほぼ等しく構成しているが、複数枚のメダルの厚みにして、各メダル孔１０２に嵌め込まれた複数の重なったメダルを一度にメダル配置部１１１へ押し出しても良い。
【００２６】
メダル移送路１１６は、押出板１１５によってメダル孔１０２から押し出されたメダルをメダル配置部１１１へ誘導する溝部であり、外周側の各メダル孔１０２から内周側へ延びる。各メダル移送路１１６間の凸部は、メダル誘導台１４ａを形成する。言い換えると、各メダル誘導台１４ａ間の凹部がメダル移送路１１６を形成する。また、メダル移送路１１６によって誘導されたメダルは、メダル移送路１１６の突き当たり部分であるメダル停止台１４ｂによって停止する。メダル停止台１４ｂによって停止した位置がメダル配置部１１１である。ここで、メダル誘導台１４ａおよびメダル停止台１４ｂの上面は、未完成メダルタワーが載置される載置面となり、これらがメダル載置台１４を構成する。メダル載置台１４の載置面は、メダル配置部１１１やメダル移送路１１６にメダルが配置された高さよりも若干高くなるように構成されている。すなわち、メダル載置台１４の載置面により下にメダル配置部１１１は位置する。なお、メダル載置台１４を構成するメダル誘導台１４ａおよびメダル停止台１４ｂは、移送されたメダルをメダル配置部１１１で停止させる構造であれば良く、メダル誘導台１４ａおよびメダル停止台１４ｂは、互いに繋がっていても良い。
【００２７】
ここで、本実施形態のメダル配置部１１１は、複数段に積み上げられるメダルタワーの各段における所定配列を構成し、複数枚並べられるメダルの配置位置に設けられる。例えば、実施形態では、環状に配置された６つのメダル孔１０２に対応して、メダル配置部１１１は、環状に６等分された配列となり、周方向に６つメダル配置部１１１と６つメダル載置台１４（メダル誘導台１４ａ）とが隣接して交互に凹凸を形成して配置される構成となる。また、メダル配置部１１１の一部又は全部は、後述するように、昇降可能であって、例えばモータ駆動により、メダル載置台１４より高い位置に上昇可能である。なお、本実施形態では、メダル配置部１１１がメダル孔１０２の配列よりも径の小さい環状であるため、メダルを外周側からメダル配置部１１１へ移送させているが、メダル配置部１１１がメダル孔１０２の配列よりも径の大きい環状としたときは、メダルを内周側からメダル配置部１１１へ移送させることになる。また、別の実施形態として、メダル移送機構１１は、ホッパー等を用いてメダルをメダル配置部１１１へ移送させても良い。
【００２８】
さらに、本実施形態のメダル移送機構１１は、押出用ドグ１１７、押出板初期位置センサ１１８、押出板最押出位置センサ１１９を有している。押出用ドグ１１７は、押出板駆動カム１１４に取り付けられ、押出板駆動カム１１４の回転に基づいて押出板初期位置センサ１１８、または押出板最押出位置センサ１１９を遮光する。ここで、押出板初期位置センサ１１８、および押出板最押出位置センサ１１９のＯＮ／ＯＦＦ情報は、押出板１１５の動作リミットを検出するものであり、メダル移送におけるメダル詰まり等のエラー検出のためにも用いられる。
【００２９】
（メダル昇降）
本実施形態のメダル昇降機構１２は、各メダル配置部１１１に配置されたメダルを上昇および下降させるための機構である。本実施形態のメダル昇降機構１２は、昇降駆動部１２１、初期位置センサ１２２、昇降駆動カム１２３、昇降従動カム１２４、テーブル１２５を有する（図２、図６、および図７（ｂ）参照）。
【００３０】
昇降駆動部１２１は、昇降用モータ１２１ａ、昇降用ギア１２１ｂからなる。昇降用モータ１２１ａは、回転軸を上向きにし、メダル積み上げ装置１の基台１６に設置される。なお、昇降用モータ１２１ａは、テーブル１２５の高さ調整を行うため、ステッピングモータや位置制御ができるアクチュエータ等を用いる。昇降用ギア１２１ｂは、昇降用モータ１２１ａの回転動によって回転する。
【００３１】
初期位置センサ１２２は、テーブル１２５の基準高を算出するために用いられる。
【００３２】
昇降駆動カム１２３は、昇降駆動カム１２３の内壁に設けられたギア部１２３ａが昇降用ギア１２１ｂと係合（噛合）し、昇降用ギア１２１ｂの回転動によって水平回転（ヨー軸回転）する。昇降駆動カム１２３は、昇降駆動カム１２３の側壁に斜面１２３ｂが複数設けられ、テーブル１２５の高さ調整が可能となっている。
【００３３】
昇降従動カム１２４は、昇降ベースＢの孔に固定されたピンＰによって水平回転（ヨー軸回転）が規制されており、上下方向にのみ移動する。昇降従動カム１２４は、昇降駆動カム１２３の斜面１２３ｂと係合するように設けられ、昇降駆動カム１２３が時計方向（ＣＷ）へ回転することによって上昇し、昇降駆動カム１２３が反時計方向（ＣＣＷ）へ回転することによって下降する。なお、昇降従動カム１２４は、ピンＰの周囲に設けられたローラＲと接触することによって、円滑な昇降ができる。
【００３４】
テーブル１２５は、メダル配置部１１１の全部又は一部をなす環状のテーブル面１２５ａ（上面）を有し、昇降従動カム１２４に伴って昇降する。
【００３５】
（メダル回転）
本実施形態のメダル回転機構１３は、テーブル１２５に配置されたメダルを配列方向へ水平回転させるための機構である。本実施形態のメダル回転機構１３は、回転駆動部１３１、テーブル１２５を有する（図２、および図７参照）。
【００３６】
回転駆動部１３１は、回転用モータ１３１ａ、回転用ギア１３１ｂからなる。回転用モータ１３１ａは、回転軸を上向きにし、メダル積み上げ装置１の基台１６に設置される。なお、本実施形態の回転用モータ１３１ａは、テーブル１２５の回転角度の調整を行うため、ステッピングモータを用いている。回転用ギア１３１ｂは、回転用モータ１３１ａの回転動によって回転する。また、本実施形態の回転用ギア１３１ｂは、複数のギア列から構成されている。
【００３７】
テーブル１２５は、テーブル１２５の内壁に設けられたギアが回転用ギア１３１ｂと係合（噛合）し、回転用ギア１３１ｂの回転動によって水平回転（ヨー軸回転）する。
【００３８】
（制御手段およびデータ）
図８は、メダル積み上げ装置１の機能構成を示す説明図である。図示されるように、メダル積み上げ装置１は、各種データを記憶するメモリ１０００、メダル検出センサ１１２と初期位置センサ１２２の情報やメモリ１０００とデータをやり取りによって各駆動部の制御を行うための制御手段１１００を備えている。
【００３９】
メモリ１０００は、タワー段数ｎ、メダルタワーの最大段数Ｎ、メダルタワーの各段において垂直に重ねるメダル枚数Ｃ１〜Ｃｎ、メダルタワーの各段におけるテーブル１２５の回転角度Ｒ１〜Ｒｎ、押出済メダルの値を格納する。ここで、例えば、「Ｃ１＝２、Ｒ１＝３０」とは、メダルタワーの１段目（本実施形態における最上段）は、メダルを垂直に２枚積み重ね、当該積み重ねたメダルを３０°配列方向へ水平回転させることを指す。本実施形態において、回転角度Ｒ１〜Ｒｎの各値は、−３０〜＋３０までが設定可能とされ、回転角度Ｒ１〜Ｒｎが正の値の場合は、テーブル１２５が時計方向に水平回転し、負の値の場合は、テーブル１２５が反時計方向に水平回転する。
【００４０】
また、本実施形態では、回転角度Ｒ１〜Ｒｎを設定しているが、積み重ねたメダルが水平移動する距離および方向を設定しても良い。なお、最大段数Ｎ、垂直に重ねるメダル枚数Ｃ１〜Ｃｎ、回転角度Ｒ１〜Ｒｎ又は水平移動する距離および方向の値は、予めメモリ１０００内で決められている値でも良いし、図示しないディップスイッチ等によって設定しても良い。ディップスイッチ等によって設定する場合、制御手段１１００は、ディップスイッチの値を読み込み、それぞれの値を決定する。
【００４１】
図９は、制御手段１１００が第１の実施形態にかかるメダル積み上げのメイン処理（メダルタワー作成処理）を行う例を示すフローチャートである。以下、詳細に説明する。
【００４２】
（ステップＳ１０１）
制御手段１１００は、メイン処理を開始すると、初期化処理を行う。図１０は、制御手段１１００が初期化処理を行う例を示すフローチャートである。まず、制御手段１１００は、初期化処理を開始すると（ステップＳ１０１０）、メダルタワーの最大段数Ｎを決定し、メモリに記憶する（ステップＳ１０１１）。
【００４３】
次いで、メダルタワーの各段における垂直に重ねるメダル枚数Ｃ１〜Ｃｎを設定し、メモリに記憶する（ステップＳ１０１２）。そして、制御手段１１００は、メダルタワーの各段におけるテーブル１２５の回転角度Ｒ１〜Ｒｎを設定し、メモリに記憶する（ステップＳ１０１３）。
【００４４】
次いで、制御手段１１００は、生成済みメダルタワー段数ｎを１に初期化し（ステップＳ１０１４）、昇降駆動部１２１を駆動してテーブル１２５を基準高へ移動させる（ステップＳ１０１５）。この基準高とは、テーブル面１２５ａの高さがメダル載置台１４の上面の高さになることをいう。つまり、制御手段１１００は、初期位置センサ１２２の情報に基づき、初期動作としてテーブル面１２５ａを基準高まで昇降させる。そして、制御手段１１００は、初期化処理を終了する。
【００４５】
（ステップＳ１０２）
図９に戻り、次いで、制御手段１１００は、撹拌および押出処理を行う。図１１は、制御手段１１００が撹拌および押出処理を行う例を示すフローチャートである。また、図１２〜図２７は、ステップＳ１０２以降の処理によるメダルの移動状態を示す図であり、各処理について、図１２〜図２７を参照しつつ説明する。まず、制御手段１１００は、撹拌および押出処理を開始すると、メダル押出機構によって押出済メダル枚数ｍを０に初期化する（ステップＳ１０２１）。
【００４６】
次いで、制御手段１１００は、昇降駆動部１２１を駆動してテーブル１２５をメダルＭの厚み分だけ下降させる（ステップＳ１０２２）。なお、メダルＭの厚さの誤差等を考慮して、通常のメダルＭの厚みよりも多く下降させても良い。これにより、テーブル面１２５ａまたは当該テーブル面１２５ａに配置されたメダルＭの上に、押出板１１５によって次に押し出されるメダルＭが入る空間が設けられる（図１４、および図２２参照）。
【００４７】
次いで、制御手段１１００は、撹拌駆動部１０３を駆動してメダル収容皿１０１内のメダルを撹拌し（ステップＳ１０２３）、メダルＭをメダル孔１０２に嵌め込む（図１２参照）。なお、制御手段１１００は、撹拌駆動部１０３を図示されないメダルホッパーのメダル供給に応じて駆動させてもよいし、常時駆動させてもよい。
【００４８】
次いで、制御手段１１００は、メダルＭがメダル孔１０２に嵌め込まれたかをメダル検出センサ１１２によって検出する（ステップＳ１０２４）。ここで、全てのメダル孔１０２にメダルＭが嵌め込まれていない場合（ステップＳ１０２４のＮｏ）、ステップＳ１０２３へ戻る。
【００４９】
一方、全てのメダル孔１０２にメダルが嵌め込まれている場合（ステップＳ１０２４のＹｅｓ）、制御手段１１００は、押出済メダル枚数ｍをインクリメントする（ステップＳ１０２５）。
【００５０】
次いで、制御手段１１００は、押出駆動部１１３を駆動してメダルをメダル配置部１１１へ移送する（ステップＳ１０２６）。これにより、メダルがメダルタワーを構成する配列に整列される（図１３参照）。
【００５１】
次いで、押出済メダル枚数ｍがＣｎより小さいか否かを判断する（ステップＳ１０２７）。ここで、押出済メダル枚数ｍがＣｎより小さい場合（ステップＳ１０２７のＹｅｓ）、ステップＳ１０２２へ戻り、同様の処理を繰り返す（図１４〜図１６参照）。
【００５２】
一方、押出済メダル枚数ｍがＣｎと同じである場合（ステップＳ１０２７のＮｏ）、制御手段１１００は、撹拌および押出処理を終了する。
【００５３】
（ステップＳ１０３）
図９に戻り、次いで、制御手段１１００は、昇降駆動部１２１を駆動してテーブル１２５を基準高以上の高さまで上昇させる。ここで、ｎが１の場合は、メダル配置部１１１に配置されたメダルＭのみが上昇する（図１７参照）。一方、ｎが２以上の場合は、テーブル１２５に配置されたメダルＭは、メダル載置台１４に載置されている未完成メダルタワーを押し上げる（図２５参照）。テーブル１２５に配置されたメダルＭは、メダル載置台１４に載置されている未完成メダルタワーの最下段の下面に位置する。メダル載置台１４に載置されている未完成メダルタワーの最下段は、テーブル１２５に配置されたメダルＭと同じ配列で所定の回転角度だけずれて、メダルＭの上方に位置することから、両者は重なり領域を有し、テーブル１２５に配置されたメダルＭを上昇させることで、その重なり領域により、メダル載置台１４に載置される未完成メダルタワーも一緒に持ち上がる。
【００５４】
（ステップＳ１０４）
次いで、制御手段１１００は、回転駆動部１３１を駆動してテーブル１２５を配列方向へＲｎだけ水平回転させる。これにより、テーブル面１２５ａに配置された未完成メダルタワーは、配列方向へ水平移動し、未完成メダルタワーの最下段のメダルＭがメダル載置台１４を構成するメダル誘導台１４ａおよびメダル停止台１４ｂの上方へ移動する（図１８参照）。
【００５５】
（ステップＳ１０５）
次いで、制御手段１１００は、昇降駆動部１２１を駆動してテーブル１２５を基準高まで下降させる。これにより、テーブル面１２５ａがメダル載置台１４よりも下降し、未完成メダルタワーの最下段がメダル載置台１４を構成するメダル誘導台１４ａおよびメダル停止台１４ｂに載置される（図１９参照）。
【００５６】
（ステップＳ１０６）
次いで、制御手段１１００は、タワー段数ｎをインクリメントする。
【００５７】
（ステップＳ１０７）
次いで、制御手段１１００は、タワー段数ｎが最大段数Ｎに到達したか否かを判断する。ここで、タワー段数ｎが最大段数Ｎに到達していない場合（ステップＳ１０７のＹｅｓ）、ステップＳ１０２へ戻り、同様の処理を繰り返す（図２０〜図２７参照）。
【００５８】
一方、タワー段数ｎが最大段数Ｎに到達した場合（ステップＳ１０７のＮｏ）、制御手段１１００は、メダル積み上げのメイン処理を終了する。これにより、タワー段数Ｎのメダルタワーであって、図１に示されるような各段が配列方向へ水平移動したメダルタワーＭＴが完成する。なお、図１に示されるメダルタワーＭＴは、垂直に重ねるメダル枚数Ｃ１〜Ｃｎが２であって、回転角度Ｒ１〜Ｒｎが１５°である。
【００５９】
ここで、上記実施形態ではテーブル面１２５ａの形状を環状として説明したが、テーブル面１２５ａは、直線状や曲線状でも良く、メダルの配列に沿って形成されていれば良い。
【００６０】
＜第２の実施形態＞
図２８は、本発明の第２の実施形態にかかるメダル積み上げ装置２を示す。ここで、メダル積み上げ装置２は、メダル積み上げ装置２の押出基台２７から下方向にメダルタワーを作成し、所定の高さのメダルタワーが完成すると、当該メダルタワーを上昇させる。図２８では、簡略のため、メダル積み上げ装置２におけるメダル昇降機構２２、メダル回転機構２３、メダル載置台２４が示され、これら以外は、第１の実施形態にかかるメダル積み上げ装置１と同様の構成である。ここで、メダル積み上げ装置２は、第１の実施形態にかかるメダル積み上げ装置１と同様のメダル撹拌機構１０、メダル収容皿１０１、メダル孔１０２、メダル移送機構１１をメダル積み上げ装置２の押出基台２７に搭載している。
【００６１】
（メダル昇降）
本実施形態のメダル昇降機構２２は、メダル載置台２４に載置された未完成メダルタワーを昇降させるための機構である。本実施形態のメダル昇降機構２２は、昇降駆動部２２１、テーブル２２５、センサドグ２２６、上限センサ２２７、下限センサ２２８、メダルガイド２２９を有する（図２８〜図３０参照）。
【００６２】
昇降駆動部２２１は、昇降用モータ２２１ａ、プーリ２２１ｂ、タイミングベルト２２１ｃ、送りねじ２２１ｄからなる。昇降用モータ２２１ａは、回転軸を下向きにし、メダル積み上げ装置２の押出基台２７に設置される。なお、本実施形態の昇降用モータ２２１ａは、テーブル２２５（メダル載置台２４）の高さ調整を行うため、ステッピングモータを用いている。
【００６３】
プーリ２２１ｂは、タイミングベルト２２１ｃと係合され、昇降用モータ２２１ａの回転動によってそれぞれ同期しながら回転する。送りねじ２２１ｄは、プーリ２２１ｂの回転動によって、それぞれ水平回転（ヨー軸回転）する。
【００６４】
テーブル２２５は、送りねじ２２１ｄと係合され、送りねじ２２１ｄの回転によって昇降する。テーブル２２５上には、メダル載置台２４が設けられ、未完成メダルタワーが載置される。
【００６５】
センサドグ２２６は、テーブル２２５の端部に設けられ、テーブル２２５の昇降によってフォトセンサである上限センサ２２７、および下限センサ２２８を遮光する。
【００６６】
メダルガイド２２９は、メダル積み上げ装置２の中央にある筒状体であって、未完成メダルタワーの側壁となる。メダルガイド２２９の上面２２９ａは、押出基台２７の下面に固定されている。
【００６７】
（メダル回転）
本実施形態のメダル回転機構２３は、メダル載置台２４に載置された未完成メダルタワーを配列方向へ水平回転させるための機構である。本実施形態のメダル回転機構２３は、回転駆動部２３１、テーブル２２５を有する（図２８〜図３０参照）。
【００６８】
回転駆動部２３１は、回転用モータ２３１ａ、回転用ギア２３１ｂからなる。回転用モータ２３１ａは、回転軸を上向きにし、テーブル２２５に設置される。なお、本実施形態の回転用モータ２３１ａは、テーブル２２５の回転角度の調整を行うため、ステッピングモータを用いている。回転用ギア２３１ｂは、回転用モータ２３１ａの回転動によって回転する。また、本実施形態の回転用ギア２３１ｂは、複数のギア列から構成されている。
【００６９】
メダル載置台２４は、メダル載置台２４の外壁に設けられたギア２４ａが回転用ギア２３１ｂと係合（噛合）し、回転用ギア２３１ｂの回転動によって、テーブル２２５上において水平回転（ヨー軸回転）する。
【００７０】
（制御手段）
図３１は、メダル積み上げ装置２の機能構成を示す説明図である。図示されるように、メダル積み上げ装置２は、各種データを記憶するメモリ２０００、メダル検出センサ１１２と上限センサ２２７と下限センサ２２８の情報やメモリ２０００とデータをやり取りによって各駆動部の制御を行うための制御手段２１００を備えている。なお、メモリ２０００は、第１の実施形態にかかるメダル積み上げ装置１のメモリ１０００と同様のデータを格納しているが、本実施形態では、回転角度Ｒ１〜Ｒｎを０に設定することができるため、垂直に重ねるメダル枚数Ｃ１〜Ｃｎのデータを用いなくても良い。
【００７１】
図３２は、制御手段２１００が第２の実施形態にかかるメダル積み上げのメイン処理（メダルタワー作成処理）を行う例を示すフローチャートである。以下、詳細に説明する。
【００７２】
（ステップＳ２０１）
制御手段２１００は、メイン処理を開始すると、まず、初期化処理を行う。ここで、この初期化処理は、第１の実施形態の初期化処理（図１０参照）と同様であるが、本実施形態における基準高とは、メダル載置台２４の上面の高さが押出基台２７の高さになることをいい、センサドグ２２６が上限センサ２２７を遮光する位置である。つまり、制御手段２１００は、この初期化処理において、昇降駆動部２２１を駆動してテーブル２２５を上限位置まで上昇させる。さらに、第１の実施形態の初期化処理（図１０参照）では、垂直に重ねるメダル枚数Ｃ１〜Ｃｎの決定（ステップＳ１０１２）を行っていたが、本実施形態では行わなくても良い。
【００７３】
（ステップＳ２０２）
次いで、制御手段２１００は、撹拌および押出処理を行う。ここで、この撹拌および押出処理は、第１の実施形態（図１１参照）と同様である。この処理により、配列された複数のメダルがメダル載置台２４又はメダル載置台２４上の未完成メダルタワーの最上段に配置される（図３３（ａ）、および図３４（ａ）参照）。
【００７４】
（ステップＳ２０３）
次いで、制御手段２１００は、昇降駆動部２２１を駆動してテーブル２２５をメダルの厚み分だけ下降させる。これにより、未完成メダルタワーが下がり、メダル移送機構１１の押出板１１５によって次に押し出されるメダルが配置される空間ができる（図３３（ｂ）、および図３４（ａ）参照）。
【００７５】
（ステップＳ２０４）
次いで、制御手段２１００は、回転駆動部２３１を駆動してメダル載置台２４を配列方向へＲｎだけ水平回転させる。これにより、メダル載置台２４に配置された未完成メダルタワーのメダルは、配列方向へ水平移動する（図３３（ｃ）、および図３４（ｂ）参照）。ここで、回転角度Ｒｎが０の場合は、垂直にメダルを積むことになる。なお、ステップＳ２０３とステップＳ２０４は、順序を入れ替えても良いし、同時に行っても良い。
【００７６】
（ステップＳ２０５）
次いで、制御手段２１００は、タワー段数ｎをインクリメントする。
【００７７】
（ステップＳ２０６）
次いで、制御手段２１００は、テーブル２２５が下限に達した（センサドグ２２６が下限センサ２２８を遮光した）か、又はタワー段数ｎが最大段数Ｎに到達したか否かを判断する。ここで、テーブル２２５が下限に到達しておらず、かつタワー段数ｎが最大段数Ｎに到達していない場合（ステップＳ２０６のＮｏ）、ステップＳ２０２へ戻る。
【００７８】
一方、テーブル２２５が下限に到達、又はタワー段数ｎが最大段数Ｎに到達した場合（ステップＳ２０６のＹｅｓ）、ステップＳ２０７へ進む。
【００７９】
（ステップＳ２０７）
次いで、制御手段２１００は、昇降駆動部２２１を駆動してメダル載置台２４を基準高である上限位置まで上昇させ（ステップＳ２０７）、メダル積み上げのメイン処理を終了する。これにより、タワー段数Ｎのメダルタワーであって、図３５に示されるような各段が配列方向へ水平移動したメダルタワーが完成する。なお、図３５に示されるメダルタワーは、第１の実施形態と同様、垂直に重ねるメダル枚数Ｃ１〜Ｃｎが２であって、回転角度Ｒ１〜Ｒｎが１５°である。
【００８０】
＜第３の実施形態＞
図３６は、本発明の第３の実施形態にかかるメダルゲーム機３を示す。本実施形態のメダルゲーム機３は、メダルゲームの進行に応じてメダルタワーを作成する。
【００８１】
本実施形態のメダルゲーム機３は、プレイヤがゲーム空間ＳへメダルＭを投入するためのメダル投入機構３０、投入されたメダルＭが載置されるフィールドＦ、ゲーム空間Ｓを囲う透明板部材３１および仕切部材３２、往復動によりフィールドＦ上にあるメダルＭを移動させるプッシャーテーブル３３、移動して落下口３４に落下したメダルＭが入る入賞口３５、落下したメダルＭを払い出す払出口３６、フィールドＦ内に上述したメダル積み上げ装置１が設けられている。
【００８２】
本実施形態のメダル投入機構３０は、メダル投入口３０１、ハンドル３０２、メダル射出口３０３が設けられている。プレイヤは、ハンドル３０２を回転させると、バネなどの付勢力によりメダル投入口３０１のメダルＭをメダル射出口３０３からフィールドＦ上へ射出する。
【００８３】
フィールドＦ上では、往復駆動部３３１によってプッシャーテーブル３３が前後方向（図３６中の矢印Ｄ方向）に往復動している。プッシャーテーブル３３は、通常、後述するメダル防護壁３８よりも後ろ側で往復動を行う。また、プッシャーテーブル３３は、往復幅を変更することができる。
【００８４】
入賞センサ３５１は、フィールドＦから落下したメダルＭが入賞口３５に入ることによりＯＮになる。
【００８５】
フィールドＦ上には、未完成メダルタワーがメダルＭによって押されることが無いよう、メダル積み上げ装置１のテーブル１２５の周囲に透明なメダル防護壁３８が設けられている。ここで、このメダル防護壁３８は、メダルタワーが完成すると、上述した昇降駆動部１２１と同様の構成をもつ防護壁昇降駆動部３８１によって下降し、メダルタワーを崩すことができるようになる。このメダル防護壁３８は、アクリルなどの透明な部材により構成することが可能である。
【００８６】
落下口３４に落下したメダルＭは、図示しないホッパー機構の駆動によって払出口３６から払い出される。
【００８７】
（制御手段）
図３７は、メダルゲーム機３の機能構成を示す説明図である。図示されるように、メダルゲーム機３は、各種データを記憶するメモリ３０００、入賞センサ３５１やメダル積み上げ装置１の制御手段１１００からの情報によって各駆動部等やゲームを制御するゲーム制御手段３１００を備えている。メモリ３０００は、第１の実施形態にかかるメダル積み上げ装置１のメモリ１０００と同様のデータと、入賞センサ３５１がＯＮになった回数である入賞回数ｐを格納している。なお、本実施形態においても、回転角度Ｒ１〜Ｒｎに代えて、積み重ねたメダルＭが水平移動する距離および方向を設定しても良い。
【００８８】
図３８は、ゲーム制御手段３１００が第３の実施形態にかかるメイン処理（メダルタワー完成までの処理）を行う例を示すフローチャートである。以下、詳細に説明する。
【００８９】
（ステップＳ３０１）
ゲーム制御手段３１００は、メイン処理を開始すると、まず、初期化処理を行う。ここで、この初期化処理は、第１の実施形態（図１０参照）と同様であるが、ステップＳ１０１５に関しては、ゲーム制御手段３１００は、テーブル１２５を基準高へ移動させるコマンドをメダル積み上げ装置１の制御手段１１００へ送信する。
【００９０】
また、最大段数Ｎ、垂直に重ねるメダル枚数Ｃ１〜Ｃｎ、回転角度Ｒ１〜Ｒｎ又は水平移動する距離および方向の値は、メダルゲーム機３に設けられた図示しないディップスイッチ等の値によって決定しても良く、初期化処理時にゲーム制御手段３１００が抽選で決定しても良い。なお、初期化処理時に各値を抽選で決定する場合は、ゲーム毎に様々な段数および形（模様）のメダルタワーを作ることができ、興趣を与えることができる。
【００９１】
（ステップＳ３０２）
次いで、ゲーム制御手段３１００は、制御手段１１００からテーブル１２５の高さの初期化完了の返信を待つ。ここで、制御手段１１００から初期化完了情報を受信した場合（ステップＳ３０２のＹｅｓ）、ステップＳ３０３へ進む。
【００９２】
（ステップＳ３０３）
次いで、ゲーム制御手段３１００は、防護壁昇降駆動部３８１を駆動してメダル防護壁３８を上昇させる。
【００９３】
（ステップＳ３０４）
次いで、ゲーム制御手段３１００は、入賞回数ｐが１以上か否かを判断する。ここで、入賞回数ｐが１未満である場合（ステップＳ３０４のＮｏ）、ステップＳ３０４で待機する。一方、入賞回数ｐが１以上である場合（ステップＳ３０４のＹｅｓ）、ステップＳ３０５へ進む。なお、例えば、ゲーム制御手段３１００は、このタイミングで抽選によって垂直に重ねるメダル枚数Ｃｎ、回転角度Ｒｎ又は水平移動する距離および方向の値を決定することとしても良い。ここで、Ｃｎが０となった場合は、ステップＳ３０４で待機すること（ハズレ）となり、Ｃｎが１以上となった場合は、ステップＳ３０５へ進むこととなる。
【００９４】
（ステップＳ３０５）
ゲーム制御手段３１００は、入賞回数ｐをデクリメントし、メダルタワーを１段作成するコマンドを制御手段１１００へ送信する。このとき、ゲーム制御手段３１００は、Ｃｎ、並びにＲｎ若しくは水平移動する距離および方向の値をパラメータとして制御手段１１００へ送信する。
【００９５】
（ステップＳ３０６）
次いで、ゲーム制御手段３１００は、制御手段１１００からメダルタワーが１段作成された返信を待つ。ここで、制御手段１１００からメダルタワーが１段作成された情報を受信した場合（ステップＳ３０６のＹｅｓ）、ステップＳ３０７へ進む。
【００９６】
（ステップＳ３０７）
次いで、ゲーム制御手段３１００は、タワー段数ｎをインクリメントする。
【００９７】
（ステップＳ３０８）
次いで、ゲーム制御手段３１００は、タワー段数ｎが制限段数に到達したか否かを判断する。ここで、タワー段数ｎが最大段数Ｎに到達していない場合（ステップＳ３０８のＹｅｓ）、ステップＳ３０４へ戻る。一方、タワー段数ｎが最大段数Ｎに到達した場合（ステップＳ３０８のＮｏ）、ステップＳ３０９へ進む。
【００９８】
（ステップＳ３０９）
次いで、ゲーム制御手段３１００は、防護壁昇降駆動部３８１を駆動してメダル防護壁３８を下降させる。
【００９９】
（ステップＳ３１０）
次いで、ゲーム制御手段３１００は、プッシャーテーブル３３が落下口３４の手前まで移動するよう、往復駆動部３３１の往復幅を１回だけ変更させ、メイン処理を終了する。これにより、Ｎ段のメダルタワーは、プッシャーテーブル３３によって崩され、メダルタワーを構成していたメダルは、落下口３４に落下したり、プッシャーテーブル３３上に載置されたり、入賞口３５に入ることとなる。なお、往復駆動部３３１の往復幅を変更せず、プッシャーテーブル３３に押し出されたメダルによってメダルタワーを崩すようにしても良い。
【０１００】
これにより、本実施形態におけるメダルゲーム機３においては、メダルゲームの結果に応じてメダルタワーを作成することができるという、いままでに無いゲーム性を提供することができる。また、プレイヤは、メダルタワーや作成過程の未完成メダルタワーを見ることができ、画面やルーレットによる表示等によって蓄積メダル枚数を表示するのに比べ、ゲーム挑戦意欲をさらに増加させることができる。
【０１０１】
なお、本実施形態におけるメダルゲーム機３は、メダル積み上げ装置１の代わりにメダル積み上げ装置２を備えても良い。この場合、メダル防護壁３８の代わりにフィールドＦの一部を構成する上蓋をメダル積み上げ装置２の上面に設けることができる。そして、ジャックポットの当選など、特別な当たりが出た場合には、当該上蓋を開いてメダルタワーを登場させ、プッシャーテーブル３３によって当該メダルタワーを崩してもよい。
【０１０２】
さらに、上記実施形態では、メダルタワーをフィールドＦ上に作成したが、フィールドＦとは別の専用フィールドでメダルタワーを作成し、ジャックポット当選等によって払いだされるメダル数をメダルタワーによってディスプレイしても良い。ここで、プレイヤに対しては、このディスプレイ用のメダルタワーを崩してメダルを直接的に払出しても良いし、崩したメダルタワーのメダルは回収して同数のメダルをホッパー等で間接的に払い出しても良い。つまり、これまでのメダルゲーム機ではジャックポット当選等によって払い出されるメダル数が画面やルーレット等に表示されているだけであったが、この実施形態によれば、プレイヤに実際のジャックポット当選等によって払いだされる枚数と同数のメダルによって構成されるメダルタワーまたは未完成メダルタワーを見せることができ、挑戦意欲を増加させることができる。なお、この実施形態は、ジャックポット機能付きのメダルゲーム機であればよく、プッシャーゲーム機でなくても良い。
【符号の説明】
【０１０３】
１・・・メダル積み上げ装置
１０・・・メダル撹拌機構
１０１・・・メダル収容皿
１０２・・・メダル孔
１０３・・・撹拌駆動部
１０４・・・撹拌用従動ギア
１０５・・・メダル接触部材
１１・・・メダル移送機構
１１１・・・メダル配置部
１１２・・・メダル検出センサ
１１３・・・押出駆動部
１１４・・・押出板駆動カム
１１５・・・押出板
１１６・・・メダル移送路
１１７・・・押出用ドグ
１１８・・・押出板初期位置センサ
１１９・・・押出板最押出位置センサ
１２・・・メダル昇降機構
１２１・・・昇降駆動部
１２２・・・初期位置センサ
１２３・・・昇降駆動カム
１２４・・・昇降従動カム
１２５・・・テーブル
１３・・・メダル回転機構
１３１・・・回転駆動部
１４・・・メダル載置台
１４ａ・・・メダル誘導台
１４ｂ・・・メダル停止台
１５・・・支柱
１６・・・基台
１７・・・押出基台
１８・・・天板
１０００・・・メモリ
１１００・・・制御手段
２・・・メダル積み上げ装置
２２・・・メダル昇降機構
２２１・・・昇降駆動部
２２５・・・テーブル
２２６・・・センサドグ
２２７・・・上限センサ
２２８・・・下限センサ
２２９・・・メダルガイド
２３・・・メダル回転機構
２３１・・・回転駆動部
２４・・・メダル載置台
２７・・・押出基台
２０００・・・メモリ
２１００・・・制御手段
３・・・メダルゲーム機
３３・・・プッシャーテーブル
３３１・・・往復駆動部
３５・・・入賞口
３８・・・メダル防護壁
３０００・・・メモリ
３１００・・・ゲーム制御手段
【図１】
0005776435.tif 000002
【図２】
0005776435.tif 000003
【図３】
0005776435.tif 000004
【図４】
0005776435.tif 000005
【図５】
0005776435.tif 000006
【図６】
0005776435.tif 000007
【図７】
0005776435.tif 000008
【図８】
0005776435.tif 000009
【図９】
0005776435.tif 000010
【図１０】
0005776435.tif 000011
【図２７】
0005776435.tif 000012
【図２８】
0005776435.tif 000013
【図２９】
0005776435.tif 000014
【図３０】
0005776435.tif 000015
【図３１】
0005776435.tif 000016
【図３２】
0005776435.tif 000017
【図３３】
0005776435.tif 000018
【図３４】
0005776435.tif 000019
【図３５】
0005776435.tif 000020
【図３６】
0005776435.tif 000021
【図３７】
0005776435.tif 000022
【図３８】
0005776435.tif 000023
【図１１】
0005776435.tif 000024
【図１２】
0005776435.tif 000025
【図１３】
0005776435.tif 000026
【図１４】
0005776435.tif 000027
【図１５】
0005776435.tif 000028
【図１６】
0005776435.tif 000029
【図１７】
0005776435.tif 000030
【図１８】
0005776435.tif 000031
【図１９】
0005776435.tif 000032
【図２０】
0005776435.tif 000033
【図２１】
0005776435.tif 000034
【図２２】
0005776435.tif 000035
【図２３】
0005776435.tif 000036
【図２４】
0005776435.tif 000037
【図２５】
0005776435.tif 000038
【図２６】
0005776435.tif 000039